(57)【要約】【課題】  適用地点への高品質レーザパルスの伝送を達成する。【解決手段】  本発明はレーザパルスを伝送するための方法に関し、この方法はレーザパルスを発生する工程、レーザパルスを増幅する工程、増幅されたレーザパルスを時間伸張する工程、及び増幅されたレーザパルスを所望の長さの光伝送ファイバを通して伝搬させる工程であって、レーザパルスは光伝送ファイバ内で時間圧縮され、レーザパルスは光伝送ファイバ内で非線形スペクトル広帯域化を受けるものである工程を有してなる。さらに、本発明はレーザパルスを伝送するためのシステムに関する。【選択図】図１
2016151766.tif 000002
【特許請求の範囲】
【請求項１】
レーザパルスを伝送する方法において、
−レーザパルスを発生する工程、
−前記レーザパルスを増幅する工程、
−前記増幅されたレーザパルスを時間伸張する工程、及び
−前記増幅されたレーザパルスを所望の長さの光伝送ファイバを通して伝搬させる工程であって、前記レーザパルスは前記光伝送ファイバ内で時間圧縮され、前記レーザパルスは前記光伝送ファイバ内で非線形スペクトル広帯域化を受けるものである工程、
を有してなることを特徴とする方法。
【請求項２】
前記光伝送ファイバの終端点における前記レーザパルスのパルス幅が１００ｆｓより狭いことを特徴とする請求項１に記載の方法。
【請求項３】
前記時間伸張されたレーザパルスのパルス幅が少なくとも１ｐｓであることを特徴とする請求項１または２に記載の方法。
【請求項４】
前記レーザパルスのスペクトルが前記光伝送ファイバ内で少なくとも１.２倍に広げられることを特徴とする請求項１から３のいずれか１項に記載の方法。
【請求項５】
前記増幅されて時間伸張されたレーザパルスのスペクトル帯域幅が１０〜５０ｎｍであり、前記光伝送ファイバを通る伝搬後の前記レーザパルスのスペクトル帯域幅が１２０ｎｍまでであることを特徴とする請求項４に記載の方法。
【請求項６】
前記レーザパルスが非線形スペクトル広帯域化を受けずに増幅されることを特徴とする請求項１から３のいずれか１項に記載の方法。
【請求項７】
前記増幅されたレーザパルスがパラボリックスペクトルを有することを特徴とする請求項１から６のいずれか１項に記載の方法。
【請求項８】
前記増幅されたレーザパルスのエネルギーが２０ｎＪまでであることを特徴とする請求項１から７のいずれか１項に記載の方法。
【請求項９】
レーザパルスを伝送する方法において、
−レーザパルスを発生する工程、
−前記レーザパルスを増幅する工程、
−前記増幅されたレーザパルスを、強非線形性光ファイバ区画を通して伝搬させる工程であって、前記レーザパルスは前記強非線形性光ファイバ区画内で非線形スペクトル広帯域化を受けるものである工程、
−前記スペクトル広帯域化を受けたレーザパルスを時間伸張する工程、及び
−前記増幅されたレーザパルスを所望の長さの光伝送ファイバを通して伝搬させる工程であって、前記レーザパルスは前記光伝送ファイバ内で時間圧縮されるものである工程、
を有してなることを特徴とする方法。
【請求項１０】
レーザパルスを伝送するためのシステムにおいて、
−レーザパルスを発生するレーザ源、
−前記レーザパルスを増幅するための光増幅器、
−前記増幅されたレーザパルスを時間伸張する光ストレッチャ、及び
−前記伸張されたレーザパルスがそれを通って伝搬する所望の長さの光伝送ファイバであって、前記レーザパルスは前記光伝送ファイバ内で時間圧縮され、前記レーザパルスは前記光伝送ファイバ内で非線形スペクトル広帯域化を受けるものである光伝送ファイバ、
を備えることを特徴とするシステム。
【請求項１１】
前記光増幅器がパラボリック増幅器であることを特徴とする請求項１０に記載のシステム。
【請求項１２】
前記光ストレッチャが分散補償光ファイバ区画を含むことを特徴とする請求項１０または１１に記載のシステム。
【請求項１３】
前記光伝送ファイバが、異常分散を有する単一モード光ファイバ区画を含むことを特徴とする請求項１０から１２のいずれか１項に記載のシステム。
【請求項１４】
前記光伝送ファイバがラージモードエリアファイバ区画を含むことを特徴とする請求項１０から１３のいずれか１項に記載のシステム。
【請求項１５】
前記光伝送ファイバの前記長さが少なくとも２ｍ、好ましくは少なくとも５ｍ、最も好ましくは少なくとも１０ｍであることを特徴とする請求項１０から１４のいずれか１項に記載のシステム。
【請求項１６】
前記レーザパルスの波長が１５００ｎｍと１６００ｎｍの間であることを特徴とする請求項１０から１５のいずれか１項に記載のシステム。
【請求項１７】
前記光増幅器及び光ストレッチャが物理的に同じ光ファイバであることを特徴とする請求項１０から１６のいずれか１項に記載のシステム。
【請求項１８】
前記光伝送ファイバが異なるタイプの光ファイバの区画を含むことを特徴とする請求項１０から１７のいずれか１項に記載のシステム。
【請求項１９】
前記光伝送ファイバが、伝搬方向に非線形性が強くなるかまたは分散が小さくなる区画を含むことを特徴とする請求項１８に記載のシステム。
【請求項２０】
前記光ストレッチャ及び前記光伝送ファイバが偏波保持型であることを特徴とする請求項１０から１９のいずれか１項に記載のシステム。
【請求項２１】
レーザパルスを伝送するためのシステムにおいて、
−レーザパルスを発生するレーザ源、
−前記レーザパルスを増幅する光増幅器、
−前記増幅されたレーザパルスがそれを通って伝搬する強非線形性光ファイバ区画であって、前記レーザパルスは前記強非線形性光ファイバ区画内でスペクトル広帯域化を受けるものである強非線形性光ファイバ区画、
−前記増幅されてスペクトル広帯域化を受けたレーザパルスを時間伸張する光ストレッチャ、及び
−前記伸張されたレーザパルスがそれを通って伝搬する所望の長さの光伝送ファイバであって、前記レーザパルスは前記光伝送ファイバ内で時間圧縮されるものである光伝送ファイバ、
を備えることを特徴とするシステム。
【請求項２２】
前記光伝送ファイバが非線形周波数変換素子によって終端されることを特徴とする請求項１０から２１のいずれか１項に記載のシステム。
【請求項２３】
前記非線形周波数変換素子がテラヘルツ波発生アンテナであることを特徴とする請求項２２に記載のシステム。
【発明の詳細な説明】
【技術分野】
【０００１】
本発明はレーザパルスを伝送するための方法及びシステムに関する。
【背景技術】
【０００２】
（超短パルスまたはフェムト秒パルスとも称される、パルス幅が１ｐｓより短い）短レーザパルス及び（一般に１ｎＪより高い）高パルスエネルギー、良好なビーム品質及び優れた光特性を提供するファイバレーザには、科学研究及び産業の多くの分野に用途がある。短パルスファイバレーザの開発は大きく進展してきた。しかし、長距離にわたって光ファイバを伝搬している短レーザパルスに付随する困難がまだ残っている。スペクトルに歪みを生じさせる非線形性が、また分散も、（実用応用に必要とされることが多い）数ｍの距離にわたる短レーザパルスの伝送を複雑にする。
【０００３】
特許文献１は、ピークパワーが高い、分散補償された超短光パルスを伝送するための装置及び方法を説明している。既知の装置はピークパワーが高い超短光パルスを発生するパルスレーザ源を備える。光伝送ファイバを通して光パルスを送信する前に、光パルスのパルス時間幅が伸張されて、ピークパワーが低められたチャープ光パルスが形成される。パルス伸張はレーザ内でまたは個別の分散素子（ストレッチャ）によって実施することができる。伸張された光パルスは数ｍの距離にわたってパルスを伝送する光ファイバを通して、レーザパルスがそれぞれの用途に用いられる、光装置に送信される。パルス時間幅を伸張することで光パルスのピークパワーが低められているから、ほとんどの場合に非線形効果が減じられる。光伝送ファイバは、再圧縮された光パルスが用途に与えられるように、パルスレーザ源及びストレッチャによって導入された分散を補償する、分散を導入する。理想的には、例えば試料または検出器のような、肝心な地点においてレーザパルスが完全に再圧縮されているように、それぞれの用途に用いられる光装置の光コンポーネントによって導入される分散も、光伝送ファイバが補償する。
【０００４】
しかし、レーザパルスの伸張及び再圧縮の既知の手法をもってしても、パルス幅がサブ１００ｆｓの、１ｎＪパルスエネルギー領域にあるレーザパルスのファイバ伝送においては劣悪なパルス品質が得られることが多い。一般に、レーザパルスの主ピーク内にあるエネルギーは全パルスエネルギーの５０％より少ない。サテライトパルスが伝送光ファイバの終端において発生し、サテライトパルス内にあるエネルギーは一般に使用できない。サテライトパルスは、ＴＨｚ波の発生のための状況であり得るような、それぞれの用途で用いられる非線形媒質を飽和させさえし得るであろう。
【０００５】
代表的な既知のシステム（非特許文献１参照）において、種レーザ源で発生されたレーザパルスは増幅され、異常分散ファイバ内でソリトン圧縮される。分散補償ファイバ（ＤＣＦ）内での時間伸張の前に、レーザパルスはそれぞれの最小パルス幅を有する。最後に、レーザパルスは伝送ファイバとして用いられる標準の光ファイバ（ＳＭＦ−２８またはＰＭ１５５０）において圧縮される。この方法には大きな欠点がある。非常に短いパルス幅により、三次分散が重大になる。これは慎重にバランスがとられたＤＣＦの三次分散を選ぶことである程度までは補償され得る。さらに、レーザパルスはソリトン圧縮により強変調スペクトル形状を得る。ＤＣＦにおけるレーザパルスの伸張時に、レーザパルスは（時間ドメインにおけるフラウンホーファー回折に類似の）それぞれのスペクトル形状と同様の時間形状を獲得する。これに続く圧縮中に、レーザパルスの時間形状に比例する自己位相変調（ＳＰＭ）が効率的な再圧縮を妨げる複雑な位相プロファイルを生じさせる。この結果、パルスエネルギーのかなりの部分がサテライト内にある、強構造化パルス形状が伝送ファイバの終端に生じる。
【０００６】
上述から、短レーザパルスを伝送するための改善された方法及びシステムが必要とされていることが容易に認められる。
【先行技術文献】
【特許文献】
【０００７】
【特許文献１】米国特許第５８６２２８７号明細書
【非特許文献】
【０００８】
【非特許文献１】エフ・アイヒホルン(F. Eichhorn)等，Opt Express，２０１０年，第１８巻，第７号，ｐ．６９７８
【発明の概要】
【発明が解決しようとする課題】
【０００９】
本発明の課題は、適用地点における高品質のレーザパルスの供与を達成することである。
【課題を解決するための手段】
【００１０】
本発明にしたがえば、レーザパルスを伝送する方法において、
−レーザパルスを発生する工程、
−レーザパルスを増幅する工程、
−増幅されたレーザパルスを時間伸張する工程、及び
−増幅されたレーザパルスを所望の長さの光伝送ファイバを通して伝搬させる工程であって、レーザパルスは光伝送ファイバ内で時間圧縮され、レーザパルスは光伝送ファイバ内で非線形スペクトル広帯域化を受けるものである工程、
を有してなる方法が開示される。
【００１１】
本発明の要点は光伝送ファイバを通る伝搬中にレーザパルスの所要のスペクトル幅を生成することである。言い換えれば、ストレッチャと光伝送ファイバの終端にある供与点の間でレーザパルスの所要のスペクトル帯域幅がかなりの程度まで本発明にしたがって生成される。上述した従来手法とは対照的に、時間伸張前にそれぞれのレーザパルスは最大スペクトル帯域幅を有していない。本発明にしたがえば、光伝送ファイバの終端点におけるレーザパルスのスペクトル帯域幅（二乗平均平方根幅）は時間伸張前のそれぞれのスペクトル帯域幅より（好ましくは少なくとも１.２倍）広い。
【００１２】
本発明の手法は光伝送ファイバの終端点においてレーザパルスの改善されたパルス形状を達成する。全パルスエネルギーのかなりの部分がレーザパルスの主ピーク内にある。
【００１３】
本発明の別の利点は、光伝送ファイバを通る帯域幅がより狭いパルスの伝搬が三次分散への感度を低下させることである。このことは、例えば１０ｍ以上の、より長い伝送距離に対して特に重要である。
【００１４】
本発明の手法は、光伝送ファイバの終端点において高パワーレーザパルスの１００ｆｓより小さいパルス幅を達成するによく適している。７０ｆｓ以下のレーザパルス幅でさえも良好なパルス品質をもって達成することができる。
【００１５】
本発明の方法は、パルスエネルギーが２０ｎＪまでの短（フェムト秒）レーザパルスの伝送に特によく適している。
【００１６】
本発明にしたがえば、時間伸張されたレーザパルスのパルス幅は、２〜１０ｍのファイバ伝送長に対して少なくとも１ｐｓ、好ましくは２〜１０ｐｓであるべきである。このようにすれば、光伝送ファイバを通る伝搬の前に、望ましくない非線形効果を避けることができるようにレーザパルスのピークパワーが十分に低められる。より長い伝送長に対しては、必要な伸張比を適宜に高めなければならない。
【００１７】
本発明の好ましい実施形態において、増幅されて時間伸張されたレーザパルスのスペクトル帯域幅は１０〜５０ｎｍであるが、光伝送ファイバを通る伝搬後のレーザパルスのスペクトル帯域幅は１２０ｎｍまでになる。増幅されたレーザパルスの比較的狭い帯域幅により、伸張前のレーザパルスの滑らかなスペクトル形状が可能になる。したがって、従来技術の手法における場合のような、レーザパルスが強変調時間形状をとることを避けることができる。したがって、続く光伝送ファイバを通る伝搬中、伝送ファイバの終端点において強構造化パルス形状を誘起することのないスペクトル広帯域化を本発明にしたがって達成することができる。
【００１８】
ほとんど構造化されていない滑らかなスペクトルを伸張前に達成するため、本発明にしたがって、（有意な）非線形スペクトル広帯域化を生じさせずにレーザパルスが増幅されることが好ましい。
【００１９】
レーザパルスのパラボリック増幅を適用することができる。このようにすれば、放物形状及び対応する滑らかなスペクトル形状をもつ時間強度プロファイルを有する放物形レーザパルスが発生される。そのような放物形レーザパルスは既知の態様で、例えば、種レーザの（例えばガウシャンスペクトルを有する）レーザパルスを、レーザパルスが光利得、カー非線形性及び正常色分散を経験する、適するファイバ増幅器を通って伝搬させることにより、発生することができる。
【００２０】
別の好ましい実施形態において、光伝送ファイバはラージモードエリアファイバ区画を含むことができる。ラージモードエリアファイバの分散に対応して、光パルスはラージモードエリアファイバ区画内で時間圧縮されるが、基本的にいかなるスペクトル広帯域化もおこらない。スペクトル広帯域化は主として、残りの（ラージモードエリアファイバに比較してモードエリアが小さい）光伝送ファイバ部でおこる。ラージモードエリアファイバで形成される光伝送ファイバの分率は、特定の用途に対する圧縮及びスペクトル広帯域化の最適測定値を達成するように、調整することができる。
【００２１】
本発明の別の態様にしたがえば、レーザパルスを伝送する方法において、
−レーザパルスを発生する工程、
−レーザパルスを増幅する工程、
−増幅されたレーザパルスを、強非線形性光ファイバ区画を通して伝搬させる工程であって、レーザパルスは強非線形性光ファイバ区画内で非線形スペクトル広帯域化を受けるものである工程、
−スペクトル広帯域化を受けたレーザパルスを時間伸張する工程、及び
−増幅されたレーザパルスを所望の長さの光伝送ファイバを通して伝搬させる工程であって、レーザパルスは光伝送ファイバ内で時間圧縮されるものである工程、
を有してなる方法が開示される。
【００２２】
本発明のこの態様にしたがえば、伝送される光パルスのスペクトル帯域幅が、増幅段と伸張段の間に強非線形性光ファイバを追加することによって、制御された態様で広げられる、ファイバ伝送方法が提案される。レーザパルスの光スペクトル幅の帯域幅（二乗平均平方根幅）は強非線形性ファイバ内で１.２倍より大きく広げられることが好ましい。
【００２３】
比較的低い（２ｎＪまでの）パルスエネルギーの場合、例えば、レーザパルスが、時間伸張の後で光伝送ファイバの終端点の前に、複数の伝搬経路に分けられる場合、本明細書で上述したように非線形スペクトル広帯域化によって光伝送ファイバ内で所要のスペクトル帯域幅を生成することは適さなくなり得る。代わりに、（例えばパラボリック増幅器によって発生された）増幅されたレーザパルスが（例えば分散補償ファイバ内で）時間伸張される。スペクトル帯域幅を制御するため、随意の（異常分散を有する）前段補償ファイバ区画及び（正常分散を有する）強非線形性ファイバの長さを所望のスペクトル帯域幅が得られるように調整することができる。
【００２４】
本発明はレーザパルスを伝送するための方法だけでなく、レーザパルスを伝送するためのシステムであって、
−レーザパルスを発生するためのレーザ源、
−レーザパルスを増幅する光増幅器、
−増幅されたレーザパルスを時間伸張する光ストレッチャ、及び
−伸張されたレーザパルスがそれを通って伝搬する所望の長さの光伝送ファイバであって、レーザパルスは光伝送ファイバ内で時間圧縮され、レーザパルスは光伝送ファイバ内で非線形スペクトル広帯域化を受けるものである光伝送ファイバ、
を備えるシステムにも関する。
【００２５】
光ストレッチャは分散補償光ファイバ区画を含むことが好ましく、光伝送ファイバは（例えば、通常のＳＭＦ−２８またはＰＭ１５５０遠距離通信ファイバのような）異常分散を有する単一モード光ファイバ区画を含むことが好ましい。
【００２６】
光伝送ファイバの長さは少なくとも２ｍ、好ましくは少なくとも５ｍ、最も好ましくは少なくとも１０ｍにすることができる。
【００２７】
別の態様にしたがえば、本発明はレーザパルスを伝送するためのシステムであって、
−レーザパルスを発生するレーザ源、
−レーザパルスを増幅するための光増幅器、
−増幅されたレーザパルスがそれを通って伝搬する強非線形性光ファイバ区画であって、レーザパルスは強非線形性光ファイバ区画内でスペクトル広帯域化を受けるものである強非線形性光ファイバ区画、
−増幅されてスペクトル広帯域化を受けたレーザパルスを時間伸張する光ストレッチャ、及び
−伸張されたレーザパルスがそれを通って伝搬する所望の長さの光伝送ファイバであって、レーザパルスは光伝送ファイバ内で時間圧縮されるものである光伝送ファイバ、
を備えるシステムに関する。
【００２８】
本発明の好ましい実施形態において、光増幅は、またレーザパルスの時間伸張も、ともに単一の光ファイバによって与えられ得る。したがって、光増幅器及び光ストレッチャは物理的に同じ光ファイバとすることができる。
【００２９】
供与地点において所望のレーザパルス特性を得るため、光伝送ファイバは適宜に、異なるタイプの光ファイバ区画からなることができる。例えば、光伝送ファイバは、伝送ファイバの出力において５０ｆｓより短いパルス幅を達成するため、伝搬方向に非線形性が高くなるかまたは分散が小さくなる区画を含むことができる。
【００３０】
高偏光感度用途に対し、光ストレッチャは、また光伝送ファイバも、偏波保存型とすることができる。
【００３１】
本発明のパルス伝送概念は非線形周波数変換を含む用途によく適している。したがって、本発明のシステムの好ましい実施形態において、光伝送ファイバは、例えば、レーザパルスの周波数を二逓倍するための非線形結晶のような、非線形周波数変換素子で終端することができる。別の好ましい実施形態において、光伝送ファイバは、光伝送ファイバによって伝送されるレーザパルスからテラヘルツ範囲の電磁波を発生させるための、テラヘルツ波アンテナで終端することができる。
【００３２】
添付図面は本発明の好ましい実施形態を開示する。しかし、図面が、本発明の限界の定義としてではなく、説明の目的にためだけに考えられていることは当然である。
【図面の簡単な説明】
【００３３】
【図１】図１は本発明にしたがうレーザシステムを簡略に示す。
【図２】図２は本発明にしたがうレーザシステムの別の実施形態を簡略に示す。
【図３】図３は、本発明にしたがう、伸張後の光パルスの時間パルス形状及びスペクトルを示す。
【図４】図４は従来態様で伝送された光パルス及び本発明にしたがって伝送された光パルスの時間パルス形状を比較して示す。
【発明を実施するための形態】
【００３４】
図１は本発明にしたがうレーザシステムを簡略に示す。システムは１５５０ｎｍにおいて短レーザパルスを発生している種レーザ源１１を備える。レーザ源１１は、例えば、周知の、市販されているタイプのモード同期ファイバレーザとすることができる。レーザ源１１の出力レーザパルスは、示される実施形態においてはパラボリック増幅器である、光増幅器１２に供給される。光増幅器１２はその出力として、滑らかで基本的に放物形の光スペクトルを有する、チャープレーザパルスを与える。これらのレーザパルスは、レーザパルスがそれぞれのスペクトル形状と同様の時間形状をその中で獲得する、分散補償ファイバ１３の区画内で時間伸張される。
【００３５】
図３の左側のグラフは本発明にしたがう伸張後のレーザパルスの時間形状３１を示す。伸張されたレーザパルスの幅は約５ｐｓである。右側の図は対応する滑らかな光スペクトル３２を示す。
【００３６】
従来のように増幅中にソリトン圧縮を受けたレーザパルスの広い強変調スペクトルは、伸張後、対応して変調された時間パルス形状３３に変換される。対応する光スペクトルは図３の右側のグラフにおいて参照数字３４で指定される。
【００３７】
本発明のシステムは、図示される実施形態においてはラージモードエリアファイバ１４の区画及び標準ＰＭ１５５０遠距離通信ファイバ１５の区画によって形成される、光伝送ファイバをさらに備える。ラージモードエリアファイバ１４及びＰＭ１５５０ファイバ１５はいずれも異常分散を有する。ラージモードエリアファイバ１４のモードフィールド径は約２０μｍである。伸張されたレーザパルスはラージモードエリアファイバ１４内で圧縮され、ＰＭ１５５０ファイバ１５内でさらに圧縮される。さらに、レーザパルスは、本発明にしたがい、ＰＭ１５５０ファイバ１５内でスペクトル広帯域化を受ける。分散補償ファイバ１３、ラージモードエリアファイバ１４及びＰＭ１５５０ファイバ１５の長さは、光伝送ファイバの終端点１６において最適パルス形状が得られるように、調整される。光伝送ファイバの長さは１０ｍ以上とすることができる。終端点１６におけるレーザパルスのパルス幅は１００ｆｓ以下になり得る。
【００３８】
光伝送ファイバにおける圧縮及び自己位相変調はレーザパルスの時間形状に比例する。従来の強変調レーザパルス（図３の参照数字３３及び３４を参照されたい）では、効率的な再圧縮を妨げる複雑な位相プロファイルが生じる。この結果、パルスエネルギーのかなりの部分がサテライトパルスに入っている、強構造化パルス形状が光伝送ファイバの終端点に生じる。このことが図４のグラフに示されている。光伝送ファイバの終端点における、従来態様で増幅され、伸張されて伝送されたレーザパルスの時間パルス形状は、参照数字４１で指定されている。従来構成は約７０ｆｓのパルス幅を与え、主ピーク内にはパルスエネルギーの約４０％しかない。
【００３９】
本発明にしたがう光伝送ファイバの終端点１６におけるレーザパルスの時間形状は図４の参照数字４２及び４３によって指定されている。本発明の構成は約６５ｆｓのパルス幅を与え、パルスエネルギーのほとんど９０％が主ピーク内にある。パルス形状４３は、ラージモードエリアファイバ１４の区画及びＰＭ１５５０ファイバの区画が光伝送ファイバに含まれている構成に対応する。ＰＭ１５５０ファイバの後に、非線形性がさらに強く及び／または異常分散がさらに小さい第２の非線形圧縮段（図示せず）を付加すると、さらに短いパルス幅を達成することが可能である。ＰＭ１５５０ファイバの後で終端点１６の前にコア径が〜８μｍのファイバを付加したときに、３８ｆｓのパルス幅が達成された。
【００４０】
図２に示される本発明のシステムの実施形態は、低パワー状況でのレーザパルスの伝送のために構成されている。伝送されるレーザパルスのスペクトル帯域幅は、光増幅器１２と分散補償ファイバ１３の間に強非線形ファイバ区画２１を挿入することにより、制御された態様で広げられる。光スペクトルの二乗平均平方根幅は非線形ファイバ区画２１内で１.２倍より大きく広がる。
【００４１】
レーザパルスは分散補償ファイバの後でパワースプリッタ２２により光伝送ファイバ２３、２４の２つの経路に分けられる。したがって、レーザパルスのエネルギーは、光伝送ファイバの終端点において、図１の実施形態におけるようなレーザパルスのスペクトル帯域幅を生じるには適さないように、低められる。
【００４２】
パラボリック増幅器１２でつくられたチャープレーザパルスは伸張のための分散補償ファイバ１３に供給され、スペクトル帯域幅は光伝送ファイバ２３、２４の終端点２５、２６においてレーザパルスの所望の帯域幅が達成されるように随意の前段補償ファイバ（異常分散、図示せず）及び強非線形性ファイバ２１（正常分散）の長さを調節することによって制御される。
【符号の説明】
【００４３】
１１    レーザ源
１２    光増幅器
１３    分散補償ファイバ
１４    ラージモードエリアファイバ
１５    ＰＭ１５５０遠距離通信ファイバ
１６，２５，２６    終端点
２１    非線形ファイバ区画
２２    パワースプリッタ
２３，２４    光伝送ファイバ
【図１】
2016151766.tif 000003
【図２】
2016151766.tif 000004
【図３】
2016151766.tif 000005
【図４】
2016151766.tif 000006
【外国語明細書】
2016151766000001.pdf